(57)【特許請求の範囲】
【請求項１】
マーカーのペン先部を嵌装する硬質樹脂製インナーキャップを嵌入した軟質樹脂製外郭キャップが繋ぎ板を介して複数連設され、連設された前記複数の外郭キャップのうちの両端の外郭キャップはその側面に互いに係止し合う係止手段を備え、全体を丸めた状態において、一端の前記外郭キャップの前記係止手段と他端の前記外郭キャップの前記係止手段とが係止し合うことで円筒状態を維持し、起立可能となることを特徴とするマーカーホルダー。
【請求項２】
前記外郭キャップの内側面と前記インナーキャップの外側面とに、互いに係止し合う回り止め手段が配設される、請求項１に記載のマーカーホルダー。
【請求項３】
前記回り止め手段は、前記外郭キャップの内周面に形成される縦溝と、前記インナーキャップの外側面に形成されて前記縦溝に係入されるリブであり、あるいは、前記インナーキャップの外側面に形成される縦溝と、前記外郭キャップの内周面に形成されて前記縦溝に係入されるリブである、請求項２に記載のマーカーホルダー。
【請求項４】
前記外郭キャップと前記インナーキャップに、互いに係合し合う抜け止め手段が配設される、請求項１乃至３のいずれかに記載のマーカーホルダー。
【請求項５】
前記抜け止め手段は、前記外郭キャップの内周面に形成される環状突部と、前記インナーキャップの外周面に形成されて前記環状突部が係合する環溝であり、あるいは、前記インナーキャップの外周面に形成される環状突部と、前記外郭キャップの内周面に形成されて前記環状突部が係合する環溝である、請求項４に記載のマーカーホルダー。
【請求項６】
前記抜け止め手段は、前記外郭キャップの内底面と前記インナーキャップの外底面に配設されて、互いに密嵌し合う係合部である、請求項４に記載のマーカーホルダー。
【請求項７】
前記インナーキャップの内側面に、前記マーカーのペン先部外周面に形成される曲線突条に係合するガイド溝が形成される、請求項１乃至６のいずれかに記載のマーカーホルダー。  
【請求項８】
前記インナーキャップに嵌装される前の前記マーカーのキャップは前記インナーキャップと同一形状である、請求項１乃至７のいずれかに記載のマーカーホルダー。
【発明の詳細な説明】
【技術分野】
【０００１】
本発明はマーカーホルダーに関するものであり、より詳細には、キャップを除去した状態のマーカー等の筆記具を複数本差し込み保持し、使用時や販売時等において、体裁よく円筒状に起立させることができるマーカーホルダーに関するものである。
【背景技術】
【０００２】
近時、多数色のマーカーが出回ってきており、美術家、デザイナー等に限らず、子供間においても、複数色のマーカーを使い分けることが広く行われている。言うまでもなく、マーカーには揮発性インクが用いられるためにキャップが不可欠となるが、特に、幼児等の子供が使用する場合、不注意でキャップを紛失してしまうことが少なくない。また、多数色のマーカーを使い分けるためには、それらを手元に整然と配備しておくことが望まれるが、通例、マーカーの軸は円筒形であるため、単に机上に置いたのでは、転動したりして収まりがよくない。
【０００３】
以上の観点からして、多数色のマーカーは、キャップを紛失するおそれのない状態にて、机上等に整然と体裁よく配備可能にされることが望ましいが、従来、これらの要請をすべて満たし得るマーカーホルダーは提唱されていない。
【先行技術文献】
【特許文献】
【０００４】
【特許文献１】実用新案登録第２５２７１４９号公報
【発明の概要】
【発明が解決しようとする課題】
【０００５】
上述したように、近時出回っている多数色のマーカーについては、その複数を使い分ける上で、キャップを紛失するおそれのない状態にて、机上等に整然と体裁よく配備可能にされることが望ましいが、従来、これらの要請をすべて満たし得るマーカーホルダーは提唱されていなかった。そこで本発明は、これらの要請をすべて満たし得るマーカーホルダーを提供することを課題とする。
【課題を解決するための手段】
【０００６】
上記課題を解決するための請求項１に記載の発明は、マーカーのペン先部を嵌装する硬質樹脂製インナーキャップを嵌入した軟質樹脂製外郭キャップが繋ぎ板を介して複数連設され、連設された前記複数の外郭キャップのうちの両端の外郭キャップはその側面に互いに係止し合う係止手段を備え、全体を丸めた状態において、一端の前記外郭キャップの前記係止手段と他端の前記外郭キャップの前記係止手段とが係止し合うことで円筒状態を維持し、起立可能となることを特徴とするマーカーホルダーである。
【０００７】
一実施形態においては、前記外郭キャップの内側面と前記インナーキャップの外側面とに、互いに係止し合う回り止め手段が配設される。例えば、前記回り止め手段は、前記外郭キャップの内周面に形成される縦溝と、前記インナーキャップの外側面に形成されて前記縦溝に係入されるリブであり、あるいは、前記インナーキャップの外側面に形成される縦溝と、前記外郭キャップの内周面に形成されて前記縦溝に係入されるリブである。
【０００８】
一実施形態においては、前記外郭キャップと前記インナーキャップに、互いに係合し合う抜け止め手段が配設される。例えば、前記抜け止め手段は、前記外郭キャップの内周面に形成される環状突部と、前記インナーキャップの外周面に形成されて前記環状突部が係合する環溝であり、あるいは、前記インナーキャップの外周面に形成される環状突部と、前記外郭キャップの内周面に形成されて前記環状突部が係合する環溝である。また、前記抜け止め手段は、前記外郭キャップの内底面と前記インナーキャップの外底面に配設されて、互いに密嵌し合う係合部とされる。
【０００９】
一実施形態においては、前記インナーキャップの内側面に、前記マーカーのペン先部外周面に形成される曲線突条に係合するガイド溝が形成される。また、前記インナーキャップに嵌装される前の前記マーカーのキャップは、前記インナーキャップと同一形状とされる。
【発明の効果】
【００１０】
本発明は上記の通りであって、マーカーのペン先部を嵌装する硬質樹脂製インナーキャップを嵌入した軟質樹脂製外郭キャップが複数連設されて成り、インナーキャップがマーカーのキャップの役目を果たすので、キャップを紛失するおそれがなく、また、全体を丸めた状態において、両側端の外郭キャップの係止手段同士を係止させることで、円筒状に組み立てて起立させることができ、また、複数のマーカーホルダーを連結してより大輪にし、二重輪や三重輪にしたりすることもできるので、多数色のマーカーを机上等に整然と体裁よく配備でき、更に、その見栄えのよい状態で販売に供し得る効果がある。
【図面の簡単な説明】
【００１１】
【図１】本発明に係るマーカーホルダーの一実施形態の正面斜視図である。
【図２】本発明に係るマーカーホルダーを丸めて起立させた状態を示す斜視図である。
【図３】図１におけるＡ−Ａ線断面図及びＢ−Ｂ線断面図である。
【図４】本発明に係るマーカーホルダーにおける外郭キャップの構成例を示す図である。
【図５】本発明に係るマーカーホルダーにおけるインナーキャップの構成例を示す図である。
【図６】本発明に係るマーカーホルダーに用いるマーカーとそのキャップの構成例を示す斜視図である。
【発明を実施するための形態】
【００１２】
本発明を実施するための形態について、添付図面を参照しつつ説明する。本発明に係るマーカーホルダーは、複数本のマーカー２１を、机上等において整然と体裁よく保持し得るものである。なお、本発明において言うマーカー２１は、水性又は油性のマーキングペン、サインペン、ペイントマーカー、ホワイトボードマーカー等と称されている種類の筆記具のすべてを含むものである。
【００１３】
本発明に係るマーカーホルダーは、マーカー２１のペン先部２２を嵌装する硬質樹脂製インナーキャップ３を嵌入した軟質樹脂製外郭キャップ１を、繋ぎ板２を介して横並びに複数連設して形成される（図１参照）。外郭キャップ１の連設数は、繋ぎ板２の幅にもよるが、通例、５乃至７である。
【００１４】
例えば、インナーキャップ３はポリプロピレン樹脂製、外郭キャップ１はエラストマー製であって、インナーキャップ３は、外郭キャップ１内に密に圧入される。その際、外郭キャップ１は軟質樹脂製であってインナーキャップ３が硬質樹脂製であるため、インナーキャップ３は外郭キャップ１の内側面に密着して強固に嵌合する。なお、繋ぎ板２は、外郭キャップ１と同一素材にて外郭キャップ１と一体成形される。
【００１５】
上述したように、インナーキャップ３は外郭キャップ１内に強固に嵌合して簡単には抜けないが、嵌合をより強固にして確実に抜け止めを防止するために、外郭キャップ１の内周面下部に環状突部７を設けると共に、インナーキャップ３の外周面下部に、嵌挿に伴って環状突部７が係合する環溝８を形成することが好ましい（図４、図５参照）。この場合、その凹凸関係を逆にして、外郭キャップ１の側に環溝８を設け、インナーキャップ３の側に環状突部７を設けることとしてもよい。
【００１６】
また、抜け止め効果を助長するために、外郭キャップ１の内底面とインナーキャップ３の外底面に、密に嵌合し合う凹凸部９、１０を設けることが好ましい。図示した例では、外郭キャップ１の内底面に凸部１０が形成され、インナーキャップ３の外底面に凹部９が形成されているが、逆に、外郭キャップ１の内底面に凹部９を形成し、インナーキャップ３の外底面に凸部１０を形成することとしてもよい。
【００１７】
更に好ましい実施形態においては、外郭キャップ１の内側面とインナーキャップ３の外側面とに、互いに係止し合う回り止め手段が設けられる。図示した例では、外郭キャップ１の環状突部７より下側の内周面の全周に亘り、縦溝１１が狭間隔置きに多数形成され、インナーキャップ３の環溝８より下側の外側面に、いずれかの縦溝１１に係入されるリブ１２が１又は複数（図では４）形成されている。
【００１８】
インナーキャップ３の回り止め手段はこれに限らず、上記の場合とは逆に、インナーキャップ３の側に縦溝１１を狭間隔置きに多数形成し、インナーキャップ３の側に、いずれかの縦溝１１に係入される１又は複数のリブ１２を設ける構成、スプライン結合やセレーション結合による構成、あるいは、インナーキャップ３に下端から縦溝を形成し、外郭キャップ１の内側面に、その縦溝に沿って相対的に摺動し得る凸部を設ける構成等が考えられる。
【００１９】
横並びにされた外郭キャップ１のうちの両端の外郭キャップ１の側面に、互いに係止し合う係止手段が形成される。図示した例では、一端の外郭キャップ１の係止手段はフック５とされ、他端の外郭キャップ１の係止手段は、フック５が引っ掛かる長孔を設けた係止片６とされている。なお、フック５は、他のマーカーホルダーの係止片６にも掛止可能であることは言うまでもない。
【００２０】
本発明に係るマーカーホルダーは、外郭キャップ１間に繋ぎ板２があるため、全体を円筒状に丸めることができ、フック５を係止片６に引っ掛けることによりその円筒形状を維持することができ、且つ、起立させることが可能となる（図２参照）。また、連結するマーカーホルダーは１つとは限らず、２つ以上のマーカーホルダーを繋げて丸めることもできる。２つ用いる場合は、第１のマーカーホルダーのフック５を第２のマーカーホルダーの係止片６に引っ掛け、第２のマーカーホルダーのフック５を第１のマーカーホルダーの係止片６に引っ掛けることになる。この場合はより大輪となり、小輪のものと多重にして起立させることが可能となる。
【００２１】
なお、係止手段は、上記フック５と係止片６の構成に限られる訳ではなく、双方を互いに係止し合うフックとする等、他の任意の係止手段を採用することができることは言うまでもない。
【００２２】
マーカー２１は、予め、キャップのない状態でインナーキャップ３に嵌装されて、販売に供されるが、インクの消耗、他の色のマーカーへの変更希望、紛失等の理由で、新たなマーカー２１を補充する必要が生ずる。そのため、補充用のマーカー２１のみ別売りとすることができる。その場合の補充用マーカー２１にはキャップ１３が被せられるが、そのキャップ１３は、インナーキャップ３嵌装時に外されて以後使用されない。
【００２３】
キャップ１３は、インナーキャップ３と同一形状とすることができ、換言すれば、外郭キャップ１に密嵌する前のインナーキャップ３をキャップ１３として利用することができる（図６参照）。図示した例では、マーカー２１のペン先部２２に曲線突条１４が形成され、キャップ１３（インナーキャップ３）の内周面に、曲線突条１４を受け入れてガイドするガイド溝１５が形成されている。
【００２４】
この構成の場合、マーカー２１をキャップ１３（インナーキャップ３）内に押し入れると、曲線突条１４がガイド溝１５に嵌まり込み、ガイド溝１５に沿って進行する結果、マーカー２１は若干回転する。このように曲線突条１４がガイド溝１５に螺合することにより、マーカー２１は、キャップ１３から抜けにくくなり、むやみに脱落することがなくなる。
【００２５】
本発明に係るマーカーホルダーは上記構成であって、マーカー２１のペン先部２２を嵌装するインナーキャップ３を嵌入した外郭キャップ１が繋ぎ板２を介して複数連設されて成り、インナーキャップ３がマーカー２１のキャップ１３の役目を果たすことになるので、キャップ１３を紛失するおそれがなく、キャップ１３を紛失してインクが揮発し、使用不可となることがない。また、マーカー２１のペン先部２２を嵌装するインナーキャップ３は硬質樹脂製であるので、マーカー２１はインナーキャップ３において確固と保持される。
【００２６】
更に、軟質樹脂製である複数の外郭キャップ１が同じく軟質樹脂製である繋ぎ板２を介して連結されているので、全体を円筒状に丸めることができる。そして、両側端の外郭キャップ１の係止手段同士を係止させることで、その円筒状に丸めてコンパクト化した状態を維持させることができ、その状態で机上等に起立させることができるので、種々の色のマーカーを机上等に整然と体裁よく配備できる。また、そのコンパクトに丸めた見栄えのよい状態で販売に供することができる。更に、本マーカーホルダーは１つに限らず、２つ以上を丸めて連結していくことができ、多重状態に起立させることも可能である。
【符号の説明】
【００２７】
１      外郭キャップ
２      繋ぎ板
３      インナーキャップ
５      フック
６      係止片
７      環状突部
８      環溝
９      凹部
１０    凸部
１１    縦溝
１２    リブ
１３    キャップ
１４    曲線突条
１５    ガイド溝
２１    マーカー
２２    ペン先部
【図１】
0006598698.tif 000002
【図２】
0006598698.tif 000003
【図３】
0006598698.tif 000004
【図４】
0006598698.tif 000005
【図５】
0006598698.tif 000006
【図６】
0006598698.tif 000007